(57)【要約】【課題】空気ダクト内の騒音を消音するためのシステムおよび方法を提供する。【解決手段】システムは、流体の流れの経路に沿って流体導管内に取り付けられたサイレンサバッフルを含み、サイレンサバッフルは、複数のバッフル部分を含む。複数のバッフル部分のうちの少なくとも２つのバッフル部分は、嵌合インターロック構造を介して互いに結合し、複数のバッフル部分のうちの少なくとも１つのバッフル部分は、嵌合ジョイントを介して互いに結合する第１および第２のバッフル部を有する。【選択図】図１
2018168853.tif 000002
【特許請求の範囲】
【請求項１】
流体の流れの経路に沿って流体導管内に取り付けられるように構成されたサイレンサバッフル（２８）を備えており、前記サイレンサバッフル（２８）は、複数のバッフル部分（３６、４０、４２、４４）を備え、前記複数のバッフル部分（３６、４０、４２、４４）のうちの少なくとも２つのバッフル部分は、嵌合インターロック構造（３８）を介して互いに結合するように構成され、前記複数のバッフル部分（３６、４０、４２、４４）のうちの少なくとも１つのバッフル部分は、嵌合ジョイント（８８）を介して互いに結合するように構成された第１および第２のバッフル部（６８、７０）を有する、システム。
【請求項２】
前記流体の流れの経路に沿って前記サイレンサバッフル（２８）を有している前記流体導管を備える、請求項１に記載のシステム。
【請求項３】
前記流体導管に結合した機械を備える、請求項２に記載のシステム。
【請求項４】
前記機械は、タービンエンジンを備える、請求項３に記載のシステム。
【請求項５】
前記第１および第２のバッフル部（６８、７０）は、前記流体導管の向かい合う側面の間を延びている支持構造体（５４）の周囲で互いに結合するように構成されている、請求項１に記載のシステム。
【請求項６】
前記第１および第２のバッフル部（６８、７０）を有している前記少なくとも１つのバッフル部分は、前記サイレンサバッフル（２８）の前縁部分（４０）を備える、請求項５に記載のシステム。
【請求項７】
前記第１および第２のバッフル部（６８、７０）を有している前記少なくとも１つのバッフル部分は、前記サイレンサバッフル（２８）の前縁部分（４０）、後縁部分（４２）、または中間部分（４４）を備える、請求項１に記載のシステム。
【請求項８】
前記第１のバッフル部（６８）は、第１の内面（９６）の反対側の第１の外面（９４）を有し、前記第２のバッフル部（７０）は、第２の内面（１００）の反対側の第２の外面（９８）を有し、前記第１および第２の外面（９４、９８）は、前記流体導管内の流体の流れに曝されるように構成され、前記第１および第２の内面（９６、１００）は、前記第１および第２のバッフル部（６８、７０）が前記嵌合ジョイント（８８）を介して互いに結合させられたときに互いに面するように構成されている、請求項１に記載のシステム。
【請求項９】
前記第１のバッフル部（６８）は、前記サイレンサバッフル（２８）の前縁と後縁との間の距離の少なくとも一部を延びる第１の側壁（７６）を有し、前記第２のバッフル部（７０）は、前記サイレンサバッフル（２８）の前記前縁と前記後縁との間の前記距離の少なくとも一部を延びる第２の側壁（７８）を有する、請求項１に記載のシステム。
【請求項１０】
前記嵌合ジョイント（８８）は、雌のジョイント（９２）内に配置された雄のジョイント（９０）の１つ以上の組を備える、請求項１に記載のシステム。
【発明の詳細な説明】
【技術分野】
【０００１】
本明細書に開示される主題は、ガスタービンエンジン用の空気ダクト内の騒音を消音するためのシステムおよび方法に関する。
【背景技術】
【０００２】
ガスタービンエンジンなどの発電設備は、燃焼プロセスを持続させるために、大量の吸気の供給を使用する可能性がある。タービンの適切な性能を維持するために、吸気は、空気が圧縮機において圧縮される前に、望ましくない塵埃、水分、および他の混入物質を除去するためにフィルタ処理される。吸気ハウジングおよび大型の空気ダクトを通って移動する大量の空気は、ガスタービンの圧縮機のブレードが発生させる大きな音響エネルギの通り道として振る舞い、これが過度の騒音の一因となり得る。
【発明の概要】
【０００３】
出願時の特許請求の範囲に記載の主題と範囲において同等である特定の実施形態が、以下に要約される。これらの実施形態は、特許請求の範囲に記載の主題の技術的範囲を限定しようとするものではなく、むしろこれらの実施形態は、特許請求の範囲に記載の主題について考えられる形態の簡単な概要を提供しようとするものにすぎない。実際に、特許請求の範囲に記載の主題は、以下で説明される実施形態に類似していても、異なっていてもよい種々の形態を含むことができる。
【０００４】
第１の実施形態においては、システムが、流体の流れの経路に沿って流体導管内に取り付けられるサイレンサバッフルを含み、サイレンサバッフルは、複数のバッフル部分を含み、複数のバッフル部分のうちの少なくとも２つのバッフル部分は、嵌合インターロック構造を介して互いに結合する。このシステムは、嵌合ジョイントを介して互いに結合する第１および第２のバッフル部を有する複数のバッフル部分のうちの少なくとも１つのバッフル部分を含む。
【０００５】
第２の実施形態においては、システムが、流体の流れの経路に沿って流体導管内に取り付けられるサイレンサバッフルを含み、サイレンサバッフルは、流体導管の向かい合う側面の間を延びる支持構造体の周囲で互いに結合する第１および第２のバッフル部を含む。
【０００６】
第３の実施形態においては、システムが、流体の流れの経路に沿って流体導管内に取り付けられるサイレンサバッフルを含み、サイレンサバッフルは、内部チャンバを囲んで互いに結合する第１および第２のバッフル部と、内部チャンバに配置された吸音材料とを含む。
【０００７】
態様１：
流体の流れの経路に沿って流体導管内に取り付けられるように構成されたサイレンサバッフルを備えており、サイレンサバッフルは、複数のバッフル部分を備え、複数のバッフル部分のうちの少なくとも２つのバッフル部分は、嵌合インターロック構造を介して互いに結合するように構成され、複数のバッフル部分のうちの少なくとも１つのバッフル部分は、嵌合ジョイントを介して互いに結合するように構成された第１および第２のバッフル部を有する、システム。
【０００８】
態様２：流体の流れの経路に沿ってサイレンサバッフルを有している流体導管を備える、態様１に記載のシステム。
【０００９】
態様３：流体導管に結合した機械を備える、態様２に記載のシステム。
【００１０】
態様４：機械は、タービンエンジンを備える、態様３に記載のシステム。
【００１１】
態様５：第１および第２のバッフル部は、流体導管の向かい合う側面の間を延びている支持構造体の周囲で互いに結合するように構成されている、態様１に記載のシステム。
【００１２】
態様６：第１および第２のバッフル部を有している少なくとも１つのバッフル部分は、サイレンサバッフルの前縁部分を備える、態様５に記載のシステム。
【００１３】
態様７：第１および第２のバッフル部を有している少なくとも１つのバッフル部分は、サイレンサバッフルの前縁部分、後縁部分、または中間部分を備える、態様１に記載のシステム。
【００１４】
態様８：第１のバッフル部は、第１の内面の反対側の第１の外面を有し、第２のバッフル部は、第２の内面の反対側の第２の外面を有し、第１および第２の外面は、流体導管内の流体の流れに曝されるように構成され、第１および第２の内面は、第１および第２のバッフル部が嵌合ジョイントを介して互いに結合させられたときに互いに面するように構成されている、態様１に記載のシステム。
【００１５】
態様９：第１のバッフル部は、サイレンサバッフルの前縁と後縁との間の距離の少なくとも一部を延びる第１の側壁を有し、第２のバッフル部は、サイレンサバッフルの前縁と後縁との間の距離の少なくとも一部を延びる第２の側壁を有する、態様１に記載のシステム。
【００１６】
態様１０：嵌合ジョイントは、雌のジョイント内に配置された雄のジョイントの１つ以上の組を備える、態様１に記載のシステム。
【００１７】
態様１１：嵌合ジョイントは、嵌合スナップフィット（ｓｎａｐ−ｆｉｔ）ジョイントを備える、態様１に記載のシステム。
【００１８】
態様１２：嵌合ジョイントは、少なくとも１つのバッフル部分の周囲に沿って配置された周辺嵌合ジョイントの１つ以上の組と、少なくとも１つのバッフル部分の中央領域に沿って配置された１つ以上の中央嵌合ジョイントとを備える、態様１に記載のシステム。
【００１９】
態様１３：少なくとも１つのバッフル部分は、内部チャンバの周りに配置されたバッフルシェルを備え、内部チャンバには、吸音材料が配置され、第１のバッフル部は、内部チャンバの第１のチャンバ部を有する第１のバッフルシェル部を備え、第２のバッフル部は、内部チャンバの第２のチャンバ部を有する第２のバッフルシェル部を備える、態様１に記載のシステム。
【００２０】
態様１４：第１のチャンバ部に配置された第１の吸音インサートと、第２のチャンバ部に配置された第２の吸音インサートとを備える、態様１３に記載のシステム。
【００２１】
態様１５：サイレンサバッフルの複数のバッフル部分は、サイレンサバッフルの前縁と後縁との間の起伏のある外面を備え、起伏のある外面は、翼形の形状の周囲を画定する、態様１に記載のシステム。
【００２２】
態様１６：嵌合インターロック構造は、嵌合レール構造あるいは嵌合する雄および雌のジョイント部を備える、態様１に記載のシステム。
【００２３】
態様１７：嵌合インターロック構造は、雌の蟻継ぎジョイント部内に配置された雄の蟻継ぎジョイント部を有する蟻継ぎジョイントを備える、態様１に記載のシステム。
【００２４】
態様１８：サイレンサバッフルは、凹部、開口部、またはこれらの組み合わせのパターンを有する外面を有する、態様１に記載のシステム。
【００２５】
態様１９：
流体の流れの経路に沿って流体導管内に取り付けられるように構成されたサイレンサバッフルを備えており、サイレンサバッフルは、流体導管の両側面の間を延びる支持構造体の周囲で互いに結合するように構成された第１および第２のバッフル部を備える、システム。
【００２６】
態様２０：
流体の流れの経路に沿って流体導管内に取り付けられるように構成されたサイレンサバッフルを備えており、サイレンサバッフルは、内部チャンバを囲んで互いに結合するように構成された第１および第２のバッフル部と、内部チャンバに配置された吸音材料とを備える、システム。
【００２７】
現在の特許請求の範囲に記載の主題のこれらの特徴、態様、および利点、ならびに他の特徴、態様、および利点は、以下の詳細な説明を添付の図面を参照しつつ検討することで、よりよく理解されよう。添付の図面においては、すべての図を通して、類似する符号は類似する部分を表す。
【図面の簡単な説明】
【００２８】
【図１】複数のモジュール化されたバッフル部分を入口ハウジングの空気ダクト内に配置して有するサイレンサバッフルを備えている発電システムの一実施形態の概略図である。
【図２】図１の組み立てられたサイレンサバッフルの一実施形態の概略の側面図である。
【図３】図１および図２の線３−３に沿って得た流体導管の側面に配置された複数のガイドレールを有するパネルの一実施形態の断面図である。
【図４】組み立て前の図１および図２の線４−４に沿って得たサイレンサバッフルの後縁部分の一実施形態の断面図である。
【図５】組み立て後の図１および図２の線４−４に沿って得たサイレンサバッフルの後縁部分の一実施形態の断面図である。
【図６】組み立て前の図１および図２の線４−４に沿って得たサイレンサバッフルの中間部分の一実施形態の断面図である。
【図７】組み立て後の図１および図２の線４−４に沿って得たサイレンサバッフルの中間部分の一実施形態の断面図である。
【図８】後縁部分と中間部分とが互いに結合させられる前の図１および図２の線４−４に沿って得たサイレンサバッフルの後縁部分および中間部分の一実施形態の断面図である。
【図９】後縁部分と中間部分とが互いに結合させられた後の図１および図２の線４−４に沿って得たサイレンサバッフルの後縁部分および中間部分の一実施形態の断面図である。
【図１０】図１および図２の線４−４に沿って得たサイレンサバッフルの前縁部分の一実施形態の断面図であり、前縁部分の第１および第２のバッフル部を図９の組み立てられた中間部分および後縁部分へと結合させる前の図である。
【図１１】図１および図２の線４−４に沿って得たサイレンサバッフルの前縁部分の一実施形態の断面図であり、前縁部分の第１のバッフル部を支持構造体の周囲において図９の組み立てられた中間部分および後縁部分へと結合させた後の図である。
【図１２】図１および図２の線４−４に沿って得たサイレンサバッフルの前縁部分の一実施形態の断面図であり、前縁部分の第２のバッフル部を支持構造体の周囲において図９の組み立てられた中間部分および後縁部分へと結合させた後の図である。
【図１３】図２の線１３−１３に沿って得たサイレンサバッフルの前縁部分の第１のバッフル部の一実施形態の断面図であり、複数の雄および雌のジョイントを示している。
【図１４】図２の線１４−１４に沿って得たサイレンサバッフルの後縁部分の第１のバッフル部の一実施形態の断面図であり、複数の雄および雌のジョイントを示している。
【図１５】バッフル部の互いの結合に使用される雄および雌のジョイントの一実施形態の一部分の断面図である。
【図１６】図１のバッフル部分の間に利用される蟻継ぎ（ｄｏｖｅｔａｉｌ）ロックの一実施形態を示すバッフル部分の一部分の斜視図である。
【図１７】図１６の線１７−１７において得られた蟻継ぎロックの一実施形態の一部分の断面図である。
【図１８】図１６の線１８−１８において得られた蟻継ぎロックの一実施形態の一部分の断面図である。
【図１９】サイレンサバッフルのバッフル部分の外面の一実施形態の拡大図である。
【図２０】本明細書に開示の実施形態によるサイレンサバッフルの形成の方法を示している。
【図２１】本明細書に開示の実施形態によるサイレンサバッフルの設置の方法を示している。
【発明を実施するための形態】
【００２９】
以下で、現時点において特許請求される主題の１つ以上の具体的な実施形態を説明する。これらの実施形態の簡潔な説明を提供するために、実際の実装のすべての特徴が本明細書に記載されていなくてもよい。任意のエンジニアリングまたは設計プロジェクトにおけるような、任意のこのような実際の実装の開発においては、例えば、システム関連およびビジネス関連の制約の遵守のような開発者の特定の目標を達成するために、別の実装によって異なる可能性がある多くの実装の詳細が決定される必要があることを理解されたい。さらに、このような開発作業は複雑で時間がかかるかもしれないが、にもかかわらず、この開示の利益を得る当業者にとっては、設計、製作、および製造の日常的な仕事であることが理解されるべきである。
【００３０】
現時点において特許請求される主題の種々の実施形態の要素を紹介するとき、冠詞「１つの（ａ、ａｎ）」、「この（ｔｈｅ）」、および「前記（ｓａｉｄ）」は、そのような複数が１つ以上存在することを意味するように意図されている。「備える（ｃｏｍｐｒｉｓｉｎｇ）」、「含む（ｉｎｃｌｕｄｉｎｇ）」、および「有する（ｈａｖｉｎｇ）」という用語は、包括的なものであって、列挙された要素以外の付加的な要素があり得ることを意味するものである。
【００３１】
特許請求される主題の実施形態は、ガスタービンエンジンを含む発電システムを含み、システムは、流体（例えば、空気、再循環の排気ガス、など）を圧縮機へと流すための導管（例えば、吸気または排気ハウジングおよびダクト）を含む。１つ以上のサイレンサバッフル（例えば、１個，２個，３個，４個，５個，６個，７個，８個，９個、または１０個）の平行なバッフルを、ハウジングまたはダクト（例えば、吸気または排気）に配置することができる。各々のサイレンサバッフルは、互いに実質的に直線状に整列した複数のバッフル部分を含む。バッフル部分は、嵌合インターロック構造などの固定可能な継手を介して互いに結合させられる。嵌合インターロック構造は、結合させられたときに隣接するバッフル部分を互いに固定する雌のジョイント部および雄のジョイント部を含むことができる。雄および雌のジョイント部は、互いに結合させる（例えば、固定する）ことができるように、バッフル部分の構成において位置が鏡像の関係にある。バッフル部分を、１つの射出成形金型によって製造することができる。例えば、嵌合インターロック構造は、嵌合レール部、嵌合蟻継ぎジョイント、嵌合するフックとスロットとからなるジョイント、嵌合ラッチ、嵌合スナップフィット継手、またはこれらの任意の組み合わせを含むことができる。２つ以上のバッフル部分が、サイレンサバッフルを形成するために組み立てられる。サイレンサバッフルのバッフル部分は、組み立てられて吸気ハウジングおよび／または空気ダクト内に取り付けられると、複数の行および列を形成することができる。バッフル部分は、発電システムの吸気部分（例えば、吸気部分、排気ガス再循環、吸気部分、など）、排気システム、または任意の他の適切な流れの経路（例えば、適切な温度を有するガスの流れの経路）において使用可能である。
【００３２】
各々のバッフル部分を、第１および第２のバッフル部を雄および雌の嵌合ジョイントを介して結合させることによって形成することができる。理解できるとおり、雄および雌のジョイントは、蟻継ぎジョイントの形態であってよい。各々のバッフル部は、内部チャンバを有することができる。吸音インサートを、騒音を吸収するために内部チャンバへと挿入することができる。吸音インサートは、雄および雌の嵌合ジョイント、構造リブまたは支持体、ならびに他の内部の造作にぴったりと被さる開口部を有することができる。バッフル部分のうちの１つ以上（例えば、前縁バッフル部分）を、支持構造体（例えば、ロッドまたはパイプ）の周りに形成することができる。ロッドを、溶接などの適切な方法によってダクトパネルに固定することができる。バッフル部分を、各々のバッフル部分（例えば、前縁バッフル部分、後縁バッフル部分、および中間部分）を形成するように嵌合ジョイントを互いに結合させることによって形成することができる。後縁バッフル部分および中間部分を嵌合インターロック造作を介して互いに結合させ、組み合わせられた中間および後縁部分を形成することができる。組み合わせられた中間および後縁部分を、１つ以上のレールガイドを介してダクトに設置することができる。次いで、前縁バッフル部分を、前縁バッフル部分の第１のバッフル部を組み合わせられた中間および後縁部分に結合させることによって形成することができる。第１のバッフル部を、支持構造体（例えば、ロッドまたはパイプ）の周囲に設置することもできる。次いで、前縁バッフル部分の第２のバッフル部を、組み合わせられた中間および後縁部分に結合させることができる。さらに、第２のバッフル部を、完全に組み立てられたサイレンサバッフルを形成するために、支持構造体（例えば、ロッドまたはパイプ）の周囲において前縁バッフル部分の第１のバッフル部へと設置することができる。
【００３３】
サイレンサバッフルの外周は、前縁バッフル部分から後縁部分まで徐々に湾曲し（例えば、テーパ状であり）、より空気力学的な形状（例えば、翼形の形状のバッフル）を生み出す。さらに、サイレンサバッフルの外側バッフルシェル（例えば、外壁または外面）は、１つ以上のパターンを含むことができる。パターンは、凹部および／または突起（例えば、ディンプル）を含むことができ、バッフルシェル内に配置される音響材料（例えば、吸音材料）による騒音の吸収を可能にする。
【００３４】
ここで図面を参照すると、図１は、吸気ダクトまたは流体導管２７（例えば、空気ダクト）を有する吸気ハウジング２６内に配置された複数のバッフル部分３６を含むサイレンサバッフル２８であって、本明細書に開示されるモジュール式のサイレンサバッフル部分３６を使用するサイレンサバッフル２８を備える発電システム１０の一実施形態の概略図である。以下の説明では、軸方向または軸方向軸線１３、半径方向または半径方向軸線１５、円周方向または円周方向軸線１７、ならびに／あるいは側方１９など、種々の方向に言及がなされ得る。発電システム１０は、圧縮機１４と、圧縮された酸化剤（例えば、空気２４）と燃料１８との混合物を受け取って燃焼させるための１つ以上の燃焼器１６と、空気−燃料混合物の燃焼によって生成される高温ガスによって駆動される１つ以上のタービン２０とを有するガスタービンエンジン１２を含む。
【００３５】
高温の燃焼ガスは、タービン２０を駆動し、次いでタービン２０は、圧縮機１４および１つ以上の他の負荷２２を駆動する。例えば、図示の実施形態において、ガスタービンエンジン１２は、発電機などの種々の負荷２２に接続されてよい。タービン２０を駆動した後に、高温ガスは、排気スタック３０を通り、大気へと排出される。ガスタービンエンジン１２は、吸気２４（例えば、周囲空気などの酸化剤）を、吸気ハウジング２６および空気ダクト２７を通って空気圧縮機１４へと引き込む。図示の実施形態は空気２４を示しているが、吸気２４は、空気、酸素、酸素を豊富にした空気、酸素を減らした空気、排気再循環ガス（ＥＧＲ）、またはこれらの任意の組み合わせを含むことができる。それにもかかわらず、以下の議論では、これに限られるわけではない一例として、空気に言及する。吸気２４が発電施設１０に進入するとき、吸気２４は、まずガスタービンエンジン１２に接続された吸気ハウジング２６を（例えば、軸方向１３に）通過する。吸気ハウジング２６は、吸気通路の周りに延在するダクト２７を含み、ダクト２７は、上部パネル８２および下部パネル８４など、対向する側壁部分またはパネル８０を含む。サイレンサバッフル２８は、以下に詳細に説明するように、上部パネル８２および下部パネル８４に固定される。吸気ハウジング２６の内部には、以下に詳細に説明するように、サイレンサバッフル２８のアレイが利用される。サイレンサバッフル２８は、通風システム３２、あるいはガスの温度が非金属材料（例えば、プラスチック、複合材料、など）で作られたサイレンサバッフル２８を利用するために充分に低いガスタービンエンジン１２の他の領域においても利用可能である。他の実施形態においては、サイレンサバッフル２８を、金属材料、または金属／非金属複合材料で作ることができる。一例において、通風システム３２は、サイレンサバッフル２８を使用できるように通風システム３２を通って排気されるガスの温度を低下させるためのファン３４を含むことができる。
【００３６】
図２は、図１の組み立てられたサイレンサバッフル２８の一実施形態の概略の側面図である。サイレンサバッフル２８は、複数のバッフル部分３６を含み、これらのバッフル部分３６は、嵌合インターロック構造３８によって隣接するバッフル部分３６に結合する。嵌合インターロック構造３８は、嵌合レール部、嵌合蟻継ぎジョイント、嵌合するフックとスロットとからなるジョイント、嵌合ラッチ、嵌合スナップフィット継手、またはこれらの任意の組み合わせを含むことができる。バッフル部分３６は、前縁部分４０と、後縁部分４２と、前縁部分４０と後縁部分４２との間に配置された中間部分４４とを含むことができる。バッフル部分３６の各々の数は、部分的にはダクト２７、上部パネル８２、および／または下部パネル８４の寸法（例えば、長さ、幅、など）に基づいてさまざまであってよい。バッフル部分３６のいくつかの外縁が、嵌合インターロックの特徴を利用しなくてもよいことを、理解できるであろう（列５０ｂの半径方向の最も外側の縁を参照）。
【００３７】
吸気２４は、吸気ハウジング２６の上流部分または上流チャンバ４６から下流部分または下流チャンバ４８へと流れる。吸気２４が吸気ハウジング２６を通って流れるとき、空気の流れは、サイレンサバッフル２８のより空気力学的な形状によって改善される。バッフル部分３６は、サイレンサバッフル２８の前縁２９と後縁３１との間に起伏のある外面を含むことで、サイレンサバッフル２８の翼形の形状の外周（図１３を参照）を形成することができる。以下で詳細に説明されるように、バッフル部分３６を、列５０にて配置する（例えば、半径方向１５に積み上げる）ことができ、嵌合インターロック構造３８（例えば、嵌合レール部、嵌合蟻継ぎジョイント、嵌合するフックとスロットとからなるジョイント、嵌合ラッチ、嵌合スナップフィット継手、またはこれらの任意の組み合わせ）を介し、行５２にて互いに結合させる（例えば、軸方向１３に噛み合わせる）ことができる。嵌合インターロック構造３８は、軸方向１３および／または半径方向１５においてバッフル部分３６を制限することができる。列５０（例えば、５０ａ、５０ｂ、など）および行５２は、格子状に配置されてよく、互い違いにされてよく、あるいは任意の他の適切な構成に配置されてよい。
【００３８】
バッフル部分３６の少なくとも１つを、支持構造体５４の周囲に設置できることを、理解できるであろう。いくつかの実施形態において、支持構造体５４は、上部パネル８２および下部パネル８４に取り付けられる（例えば、ねじ込まれる、ボルトで固定される、溶接される、など）ロッド５６であってよい。ロッド５６は、パネル８２、８４を拘束し、パネル８２、８４への荷重を軽減するための荷重支持要素として機能することができる。ロッド５６は、円形、正方形、長方形、または任意の他の適切な形状であってよい。ロッド５６は、列５０（例えば、バッフル部分３６）を安定させるために、ロッド支持通路５１を通って配置される。ロッド５６は、前縁部分４０を貫通して配置されるものとして図示されているが、バッフル部分３６（例えば、後縁部分４２、中間部分４４、など）のいずれも、ロッド５６を介してパネル８２、８４へと固定できることを、理解できるであろう。またさらに、ロッド５６を、１つおきのバッフル部分３６に配置でき、３つのバッフル部分３６につき１つの割合で配置でき、あるいはバッフル部分３６をパネル８２，８４に固定するための任意の他の適切な方法で配置することができる。バッフル部分３６は、以下で詳細に説明されるように、ロッド５６に結合する第１のバッフル部６８および第２のバッフル部７０（図４〜図１１を参照）を含むことができる。バッフル部分３６の少なくとも１つを、１つ以上のクランプ５１を介して流体導管（例えば、ダクト２７）に結合させることができる。クランプ５１は、バッフル部分３６をパネル８２，８４に固定することができる。図３を参照して説明されるように、バッフル部分３６の最も上方の行５２および最も下方の行５２を、１つ以上のレールガイド５８を介してパネル８２および８４に設置することができる。
【００３９】
図３は、流体導管（例えば、ダクト２７）の内側に配置された複数のレールガイド５８を有するパネル８０の一実施形態の断面図である。レールガイド５８は、流体導管（例えば、ダクト２７）の第１の側面（例えば、上部パネル８２）に配置された第１のレールガイドおよび／または流体導管（例えば、ダクト２７）の第２の側面（例えば、下部パネル８４）に配置された第２のレールガイドを含むことができる。レールガイド５８は、サイレンサバッフルが互いに実質的に平行なままでいられるように、流体導管におけるサイレンサバッフル２８の整列を補助することができる。レールガイド５８は、開放端６０を有することができ、パネル８０は、線３−３に沿って得た図１の吸気ハウジング２６の上面８２または下面８４に沿って配置される。図示の実施形態において、各々のレールガイド５８は、外縁またはリム６２を有する。各々のレールガイド５８は、周囲の外縁６２の間に一定の幅６４を有する。換言すると、開放端における幅６４は、閉鎖端６６における幅６４と実質的に同じである。レールガイド５８は、バッフル部分３６（例えば、個々のバッフル部分３６、予め組み立てられたバッフル部分３６）をレールガイド５８へと方向１９にスライドさせることができるように開放端６０を含んでいる。次いで、さらに詳しくは後述されるように、バッフル部分３６の列５０（および、各々のサイレンサバッフル２８の全体）を、１つ以上のロッド５６を１つ以上のバッフル部分３６を通って挿入することによって、さらに安定させることができる。図示の実施形態においては、最初に後縁部分４２および中間部分４４を互いに結合させ、その後にパネル８２，８４へと固定することができる。前縁部分４０を、ロッド５６の周囲に設置して、組み立てられた後縁部分４２および中間部分４４に結合させることができる。サイレンサバッフル２８の組み立てを、図４〜図１２を参照して、さらに理解することができる。
【００４０】
図４〜図１２は、第１のバッフル部６８および第２のバッフル部７０を各々が有するバッフル部分３６（例えば、前縁部分４０、後縁部分４２、および中間部分４４）を示している。各部分（前縁部分４０、後縁部分４２、および中間部分４４）のバッフル部分３６は、その部分の他のバッフル部分３６と比べて同じ長さを有しても、異なる長さを有してもよいことを、理解できるであろう。バッフル部６８，７０は、内部チャンバ７１を含む。第１のバッフル部６８および第２のバッフル部７０は、それぞれ第１の内部チャンバまたはチャンバ部７３および第２の内部チャンバまたはチャンバ部７５を含む。第１および第２のバッフル部６８，７０は、サイレンサバッフル２８の前縁２９と後縁３１との間の距離３３の少なくとも一部を延びる第１の側壁７６および第２の側壁７８を含む。第１および第２のバッフル部６８，７０は、それぞれ第１および第２の側壁７６，７８によって画定された第１および第２のバッフルシェル部６７，６９を含む。側壁７６，７８の軸方向１３の長さは、サイレンサバッフル２８の長さに基づいてさまざまであってよい。各々のバッフル部分３６の第１のバッフル部６８の第１の内部チャンバ７３および第２のバッフル部７０の第２の内部チャンバ７５には、音響減衰材料で作られた１つ以上の吸音インサート７２が配置される。音響減衰材料は、吸音材料として機能することができる。音響減衰材料として、ミネラルウッド、玄武岩ウール、ガラス繊維、メラミン発泡体、ポリウレタン発泡体、または他の適切な材料を挙げることができる。吸音インサート７２は、適切な形状およびサイズに切断され、騒音減衰部品として機能することができる。各々の吸音インサート７２は、１つ以上の開口部７４を有することができる。開口部７４を、バッフル部分３６の第１のバッフル部６８および／または第２のバッフル部７０に取り付けられた１対の嵌合ジョイント８８（例えば、雄のジョイント９０および雌のジョイント９２）上へと吸音インサート７２をスライドさせるために使用することができる。嵌合ジョイント８８は、スナップフィットジョイント、嵌合ラッチ、フックをスロットに嵌合させるジョイント、嵌合締まり嵌めジョイント、嵌合する雄ねじおよび雌ねじの固定具、嵌合する非ねじの固定具、（例えば、工具を必要としない結合および分離のための）嵌合する工具不要の固定具、嵌合クランプ、嵌合ストラップ、などを含むことができる。
【００４１】
図４は、組み立て前の図１および図２の線４−４に沿って得たサイレンサバッフル２８の後縁部分４２の一実施形態の断面図である。後縁部分４２は、第１のバッフル部６８および第２のバッフル部７０を含む。第１のバッフル部６８は、互いに反対方向に向けられた第１の外面９４および第１の内面９６を含む。同様に、第２のバッフル部７０は、互い反対方向に向けられた第２の外面９８および第２の内面１００を有する。第１のバッフル部６８および第２のバッフル部７０を、同じ射出成形金型によって製造できることを、理解できるであろう。外面９４，９８は、一般に、サイレンサバッフル２８が組み立てられたとき、お互いから離れる方を向き、流体ダクト２７内の流体の流れに曝される。第１のバッフル部６８および第２のバッフル部７０が嵌合ジョイント８８によって互いに結合させられたとき、内面９６，１００は、おおむねお互いの方を向く。
【００４２】
第１のバッフル部６８と第２のバッフル部７０との結合の前に、第１のインサート１０２が、第１のインサート１０２を第１のチャンバ部７１へと方向１９にスライドさせることにより、第１のバッフル部６８の第１のチャンバ部７３へと挿入される。第２のインサート１０４が、第２のインサート１０４を方向１９とは反対の方向２１に第２のチャンバ部７３へとスライドさせることにより、第２のバッフル部７０の第２のチャンバ部７５へと挿入される。開口部７４が、第１のインサート１０２を嵌合ジョイント８８上へとスライドさせるために使用される。開口部７４は、嵌合ジョイント８８を収容するのに適した形状を有することができる。図示の実施形態において、開口部７４は、嵌合ジョイント８８が嵌まり込むように円柱形である。嵌合ジョイント８８の数が、組み立て後のバッフル２８におけるバッフル部分３６の配置場所、バッフル部分３６の種類（例えば、前縁部分４０、後縁部分４２、または中間部分４４）、あるいは他の要因に依存してさまざまであってよいことを、理解できるであろう。
【００４３】
いくつかの実施形態においては、嵌合ジョイント８８の種類が、バッフル部分３６の内面９６，１００に沿って交互にされてよい。例えば、各々のバッフル部分３６の各々のバッフル部６８，７０が、複数の雄のジョイント９０および／または雌のジョイント９２（例えば、雄および雌のジョイント９０，９２の交互の分布または並び）を含むことで、周辺領域（例えば、周辺ジョイント）または中央領域（例えば、中央ジョイント）に沿った複数の嵌合ジョイント８８を定めることができる。例えば、第１のバッフル部６８は、第１のバッフル部６８の第１の内面９６に沿って第１の雌のジョイント９２に隣接する第１の雄のジョイント９０を含むことができる。第２のバッフル部７０における嵌合ジョイント８８の位置を、部分的には、第１のバッフル部６８における嵌合ジョイント８８の位置によって決定することができる。例えば、第２のバッフル部７０の第２の雌のジョイント９２を、バッフル部６８，７０が互いに結合させられるときに、第１のバッフル部６８に配置された第１の雄のジョイント９０を受け入れるように、第１のバッフル部６８の真向かいに配置することができる。第２の雄のジョイント９０を、バッフル部６８，７０が互いに結合させられるときに、第１のバッフル部６８に配置された第１の雌のジョイント９０を受け入れるように、第２のバッフル部７０において第１のバッフル部６８の真向かいに配置することができる。嵌合ジョイント８８が互いに結合させられると、図５に示されるように、第１のインサート１０２および第２のインサート１０４は、バッフル部６８，７０によって覆われる。
【００４４】
図５は、組み立て後の図１および図２の線４−４に沿って得たサイレンサバッフル２８の後縁部分４２の一実施形態の断面図である。雄のジョイント９０が雌のジョイント９２に挿入されると、第１のバッフル部６８と第２のバッフル部７０とが結合し、後端部分４２を形成する。嵌合インターロック構造３８は、破線１０６で示されており、後縁部分４２を中間部分４４に接続するために使用可能である。上述のように、嵌合インターロック構造３８は、嵌合レール部、嵌合蟻継ぎジョイント、嵌合するフックとスロットとからなるジョイント、嵌合ラッチ、またはこれらの任意の組み合わせを含むことができる。いくつかの実施形態においては、中間部分４４を、後縁部分４２を中間部分４４へと結合させる前に組み立てることができる。
【００４５】
図６は、組み立て前の図１および図２の線４−４に沿って得たサイレンサバッフル２８の中間部分４４の一実施形態の断面図である。後縁部分４２に関して上述したように、中間部分４４は、第１のバッフル部６８および第２のバッフル部７０を含む。第１のバッフル部６８は、互いに反対方向に向けられた第１の外面９４および第１の内面９６を含む。同様に、第２のバッフル部７０は、互い反対方向に向けられた第１の外面９８および第２の内面１００を含む。外面９４，９８は、一般に、サイレンサバッフル２８が組み立てられたとき、お互いから離れる方を向き、流体導管内の流体の流れに曝される。第１のバッフル部６８および第２のバッフル部７０が嵌合ジョイント８８によって互いに結合したとき、内面９６，１００は、おおむねお互いの方を向く。バッフル部分の周囲に沿った縁に最も近接して配置された嵌合ジョイント８８を、周辺嵌合ジョイント８９と呼ぶことができる。中央領域において周辺嵌合ジョイント８９の間に配置された嵌合ジョイント８８を、中央嵌合ジョイント９１と呼ぶことができる。図１０〜図１２に示される嵌合ジョイント８８を、３つ以上の嵌合ジョイント８８を利用する実施形態において、同様のやり方で呼ぶことができる。
【００４６】
上述したように、第１のインサート１０２は、第１のインサート１０２を第１のチャンバ部７１へと方向１９にスライドさせることにより、第１のバッフル部６８へと挿入される。第２のインサート１０４は、第２のインサート１０４を方向１９とは反対の方向２１に第２のチャンバ部７３へとスライドさせることにより、第２のバッフル部７０へと挿入される。開口部７４が、第１のインサート１０２を嵌合ジョイント８８上へとスライドさせるために使用される。理解できるとおり、バッフル部６８，７０は、互いの結合のために１個、２個、３個、４個、６個、７個、８個、９個、１０個、１５個、２０個、３０個、またはさらに多くの嵌合ジョイント８８を利用することができる。図示の実施形態において、嵌合ジョイント８８の少なくとも３つの組（または、複数組の行）が、中間部分４４を一体に結合させるために使用される。
【００４７】
嵌合ジョイント８８は、バッフル部分３６（例えば、中間部分４４）の内面９６，１００に沿って雄のジョイント９０と雌のジョイント９２との間で交互にされる。例えば、第１のバッフル部６８は、第１のバッフル部６８の第１の内面９６に沿って第１の雌のジョイント９２の両側に配置された雄のジョイント９０を含むことができる。第２のバッフル部７０における嵌合ジョイント８８の位置を、部分的には、第１のバッフル部６８における嵌合ジョイント８８の位置によって決定することができる。例えば、第２のバッフル部７０の雌のジョイント９２を、バッフル部６８，７０が互いに結合させられたときに、第１のバッフル部６８に配置された雄のジョイント９０を受け入れるように、第１のバッフル部６８の真向かいに配置することができる。嵌合ジョイント８８が互いに結合させられると、図７に示されるように、第１のインサート１０２および第２のインサート１０４は、バッフル部６８，７０のバッフルシェル部６７、６９によって覆われる。理解できるとおり、バッフル部６８，７０は、互いの結合のために１個、２個、３個、４個、６個、７個、８個、９個、１０個、１５個、２０個、３０個、またはさらに多くの嵌合ジョイント８８を利用することができる。
【００４８】
図７は、組み立て後の図１および図２の線４−４に沿って得たサイレンサバッフル２８の中間部分４４の一実施形態の断面図である。図７は、組み立て後のサイレンサバッフル２８の中間部分４４の一実施形態を示している。雄のジョイント９０が雌のジョイント９２（例えば、嵌合ジョイント８８）へと挿入されると、中間部分４４が互いに結合し、完全な中間部分４４を形成する。図示のように、雄のジョイント９０および雌のジョイント９２を、いずれかの内面（例えば、第１の内面９６、第２の内面１００）に沿って雄のジョイント９０および雌のジョイント９２の間で交互にすることができる。嵌合インターロック構造３８は、破線１０６で示されており、中間部分４４を別の中間部分４４、後縁部分４２、および／または前縁部分４０に接続するために使用可能である。いくつかの実施形態においては、中間部分４４を、後縁部分４２を中間部分４４へと結合させる前に組み立てることができる。
【００４９】
図８および図９は、後縁部分４２と中間部分４４との組み立ての一実施形態を示している。図８は、後縁部分４２と中間部分４４とが嵌合インターロック構造３８によって互いに結合させられる前の図１および図２の線４−４に沿って得たサイレンサバッフル２８の後縁部分４２および中間部分４４の一実施形態の断面図である。上述のように、嵌合インターロック構造３８は、嵌合レール部、嵌合蟻継ぎジョイント、嵌合するフックとスロットとからなるジョイント、嵌合ラッチ、嵌合スナップフィット継手、またはこれらの任意の組み合わせを含むことができる。一実施形態において、嵌合インターロック構造３８（例えば、蟻継ぎジョイント）は、相互に噛み合うように方向２１に互いに挿入され（例えば、スライドによって結合させられ）てよい。
【００５０】
図９は、後縁部分４２と中間部分４４とが互いに結合させられた後の図１および図２の線４−４に沿って得たサイレンサバッフル２８の後縁部分４２および中間部分４４の一実施形態の断面図である。組み立てられたバッフル部分４２，４４は、中間バッフル部分４４から後方部分４２へとゆるやかな湾曲（例えば、テーパ）を形成し、より空気力学的な形状（例えば翼形の形状のバッフル）を生み出している。バッフル部分３６は、バッフル部分３６の外面上にパターンを有することができる。パターンは、図１９に関して後述されるように、凹部および／または凸部（例えば、ディンプル）を含むことができ、バッフルシェル内に配置された音響材料（例えば、吸音材料）による騒音の吸収を可能にする。
【００５１】
図１０〜図１２は、サイレンサバッフル２８の前縁部分４０の組み立ての実施形態を示している。図１０は、図１および図２の線４−４に沿って得たサイレンサバッフル２８の前縁部分４０の一実施形態の断面図を示しており、前縁部分４０の第１および第２のバッフル部６８、７０を図９の組み立てられた中間部分４４および後縁部分４２へと結合させる前の図である。上述したように、サイレンサバッフル２８の前縁部分４０（例えば、第１のバッフル部６８、第２のバッフル部７０）を、支持構造体５４（例えば、ロッド５６）の周りに、支持構造体５４の長手方向軸線５７に対して交差する方向（例えば、垂直または実質的に垂直）に結合させることができる。前縁部分４０だけが支持構造体５４（例えば、ロッド５６）を利用するものとして示されているが、他のバッフル部分３６（例えば、後縁部分４２、中間バッフル部分４４）を、後縁部分４２および／または中間バッフル部分４４の第１および第２のバッフル部６８，７０の間に配置された支持構造体５４（例えば、ロッド５６）の周囲に組み付けることができることを、理解できるであろう。後縁部分４２および中間バッフル部分４４を、図３を参照して上述したように、前縁部分４０の設置に先立ってレールガイド５８へと設置することができる。
【００５２】
支持構造体５４が第１のバッフル部６８と第２のバッフル部７０との間に利用されるとき、バッフル部６８，７０は、クランプ板１１６（例えば、可撓板）を含むことができる。クランプ板１１６を、第１および第２の両方のバッフル部６８に使用することができ、あるいは第１のバッフル部６８または第２のバッフル部７０のいずれかに使用することができる。第１および第２のクランプ板１１６は、（例えば、半径方向１５に）支持構造体５４の長手方向軸線５７におおむね交差する平面内に延在する。クランプ板１１６を、アクリロニトリルブタジエンスチレン、ポリプロピレン、ポリエチレン、ポリ塩化ビニル、塩素化ポリ塩化ビニル、または他の適切な熱可塑性ポリマー材料を含むプラスチックなどの可撓性材料から製作することができる。クランプ板１１６は、支持構造体５４（例えば、ロッド５６）のための追加の構造的支持を提供する。クランプ板１１６は、バッフル部６８，７０の第１の端部１２０から第２の端部１２４まで軸方向３０に延びる湾曲した凹部１１８を含む。理解できるとおり、クランプ板１１６の湾曲した凹部１１８は、支持構造体５４（例えば、ロッド５６）のためのクランプまたは受け入れ構造として機能することができる。クランプ板１１６は、ダクト２７およびパネル８０から独立したサイレンサバッフル２８の熱的成長を可能にすることができる。クランプ板１１６の材料は、部分的には、ダクト２７およびロッド５６の材料と比べて大きいプラスチック材料の熱膨張係数に基づいて、サイレンサバッフル２８の熱成長を可能にすることができる。いくつかの実施形態において、クランプ板１１６は、弾力的であってよく、撓むことが可能であってよく、したがって或る程度のばね力をもたらし、あるいはクランプ板１１６は、剛直であってよい。
【００５３】
支持構造体５４（例えば、ロッド５６）は、ダクト２７およびパネル８０（上部パネル８２、下部パネル８４）に構造的な支持を提供することができる。支持構造体５４（例えば、ロッド５６）およびバッフル２８は、部分的にはサイレンサバッフル２８がより軽量な材料（例えば、プラスチック、複合材料などの非金属材料）から作られていることに起因して、ダクト２７への荷重を軽減することができる。このように、より軽量な材料は、サイレンサバッフル２８の重量を減らすことができる。
【００５４】
第１のインサート１０２および第２のインサート１０４は、後述されるように第１および第２のインサート１０２、１０４がそれぞれのバッフル部６８、７０へと設置されるときに、第１および第２のインサート１０２、１０４が支持構造体５４（例えば、ロッド５６）の周囲に適合するように、凹部または湾曲した開口部１２６を含むことができる。上述のように、第１のインサート１０２は、第１のインサート１０２を方向１９にスライドさせることによって、第１のバッフル部６８の第１のチャンバ部７３に挿入される。第２のインサート１０４は、第２のインサート１０４を方向１９とは反対の方向２１にスライドさせることによって、第２のバッフル部７０の第２のチャンバ部７５に挿入される。開口部７４は、第１のインサート１０２を嵌合ジョイント８８に被せてスライドさせるために使用される。バッフル部６８，７０は、互いの結合のために１個、２個、３個、４個、６個、７個、８個、９個、１０個、１５個、２０個、３０個、またはさらに多くの嵌合ジョイント８８を利用することができる。理解できるとおり、第１のバッフル部６８または第２のバッフル部７０を支持構造体５４の周りに据え付けることができ、あるいはバッフル部６８，７０を支持構造体５４の周りに同時に据え付けることができる。
【００５５】
図４〜図８を参照して上述したように、第１および第２のバッフル部６８，７０を、嵌合ジョイント８８を介して互いに結合させることができる。いくつかの種類の嵌合ジョイント８８が、バッフル部分３６の内面９６，１００に沿って交互にされてよい。例えば、第１のバッフル部６８は、第１のバッフル部６８の第１の内面９６に沿って第１の雌のジョイント９２に隣接する第１の雄のジョイント９０を含むことができる。第２のバッフル部７０における嵌合ジョイント８８の位置を、部分的には、第１のバッフル部６８における嵌合ジョイント８８の位置によって決定することができる。第２のバッフル部７０の第２の雌のジョイント９２を、バッフル部６８，７０が互いに結合させられたときに、第１のバッフル部６８に配置された第１の雄のジョイント９０を受け入れるように、第１のバッフル部６８の真向かいに配置することができる。第２の雄のジョイント９０を、バッフル部６８，７０が互いに結合させられたときに、第１のバッフル部６８に配置された第１の雌のジョイント９０を受け入れるように、第２のバッフル部７０において第１のバッフル部６８の真向かいに配置することができる。図示の実施形態においては、嵌合ジョイント８８が２つだけ示されているが、１個、２個、３個、４個、５個、６個、７個、８個、９個、１０個、１５個、２０個、３０個、またはさらに多くの嵌合ジョイント８８（例えば、雄のジョイント９０、雌のジョイント９２）を第１および第２のバッフル部６８、７０の互いの結合に利用できることを、理解できるであろう。
【００５６】
図１１は、図１および図２の線４−４に沿って得たサイレンサバッフル２８の前縁部分４０の一実施形態の断面図を示しており、前縁部分４０の第１のバッフル部６８を支持構造体５４（の１つの第１の側）を部分的に囲んで図９の組み立てられた中間部分４４および後縁部分４２へと結合させた後の図である。図示の実施形態において、第２のバッフル部７０は、支持構造体５４（例えば、ロッド）に向かって方向１９にスライドさせられる。第２のバッフル部７０は、支持構造体５４（例えば、ロッド５６）へと、支持構造体５４（例えば、ロッド５６）の周囲に結合させられ、かつ組み立てられた中間部分４４および後縁部分４２に結合させられる。破線１０６は、第２のバッフル部７０が、組み立てられた中間部分４４および後縁部分４２へと嵌合インターロック構造３８を介して噛み合うことを示している。
【００５７】
次に、第１のバッフル部６８は、支持構造体５４（例えば、ロッド５６）に向かって方向２１にスライドさせられる。雄のジョイント９０が雌のジョイント９２に挿入されて、第１のバッフル部６８と第２のバッフル部７０とが組み立てられるように、嵌合ジョイント８８を一体に結合させる（例えば、スライドによって係合させ、あるいはスナップフィットさせる）ことができる。嵌合ジョイント８８が一体に結合すると、第１のインサート１０２および第２のインサート１０４は、バッフル部６８，７０のバッフルシェル部６７，６９によって覆われる。またさらに、第１のバッフル部６８は、嵌合インターロック構造３８を介して中間部分４４および後縁部分４２に結合する。図４〜図１１を参照して説明したとおりに完全に組み立てられたサイレンサバッフル２８を、図１２を参照してさらに理解することができる。
【００５８】
図１２は、図１および図２の線４−４に沿って得たサイレンサバッフルの前縁部分４０の一実施形態の断面図であり、前縁部分４０の第２のバッフル部７０を支持構造体５４を囲んで第１のバッフル部６８ならびに図９の組み立てられた中間部分４４および後縁部分４２へと結合させた後の図である。理解できるとおり、いくつかの組み立てられたサイレンサバッフル２８を、ダクト２７においてパネル８０の間に設置することができる。上述のように、サイレンサバッフル２８は、通風システム３２、あるいはガスの温度が非金属材料（例えば、プラスチック、複合材料、など）で作られたサイレンサバッフル２８を利用するために充分に低いガスタービンエンジン１２の他の領域においても利用可能である。
【００５９】
図１３は、図２の線１３−１３に沿って得たサイレンサバッフル２８の前縁部分４０の第１のバッフル部６８の一実施形態の断面図であり、複数の雄および雌のジョイント９０、９２を示している。前縁部分４０において、嵌合ジョイント８８（例えば、雄のジョイント９０、雌のジョイント９２）を、可撓板１１６の間に配置することができる。任意の数（例えば、１個，２個，３個，４個，５個，または６個以上の）雄および雌のジョイント９０、９２を第１のバッフル部６８に沿って軸方向１３に配置できることを、理解できるであろう。第１のバッフル部６８に配置された雄および雌のジョイント９０、９２の数は、第２のバッフル部７０に配置された雄および雌のジョイントの数および配置に直接相関する。例えば、第１のバッフル部６８および第２のバッフル部７０に配置された嵌合ジョイント８８は、雄のジョイント９０がスライドによって互いに係合するように雌のジョイント９２の真向かいに配置されるように、相補的であってもよい。嵌合ジョイント８８（例えば、雄のジョイント９０、雌のジョイント９２）の数および配置は、部分的には特定のバッフル部分３６の所望の構造的支持に基づいて、さまざまであってよい。
【００６０】
図１４は、図２の線１４−１４に沿って得たサイレンサバッフル２８の後縁部分４２の第１のバッフル部６８の一実施形態の断面図であり、複数の雄および雌のジョイント９０、９２を示している。上述したように、第１のバッフル部６８に配置された雄および雌のジョイント９０、９２の数は、第２のバッフル部７０に配置された雄および雌のジョイントの数および配置に直接相関する。例えば、第１のバッフル部６８および第２のバッフル部７０に配置された嵌合ジョイント８８は、雄のジョイント９０がスライドによって互いに係合する（例えば、スナップフィットする）ように雌のジョイント９２の真向かいに配置されるように、相補的であってもよい。任意の数（例えば、１個，２個，３個，４個，５個，または６個以上の）雄および雌のジョイント９０、９２を第１のバッフル部６８に沿って軸方向１３に配置できることを、理解できるであろう。
【００６１】
後縁部分４２において、嵌合ジョイント８８（例えば、雄のジョイント９０、雌のジョイント９２）を、構造支持体またはプレート１３０に結合させることができる。プレート１３０を、可撓板１１６を製作するための材料（例えば、アクリロニトリルブタジエンスチレン、ポリプロピレン、ポリエチレン、ポリ塩化ビニル、塩素化ポリ塩化ビニル、または他の適切な熱可塑性ポリマー材料）または他の適切な材料など、適切な材料で製作することができる。しかしながら、プレート１３０は、支持構造体５４を受け入れるための湾曲した構造１１８を有さなくてもよい。支持構造体５４が後縁部分４２に利用される実施形態においては、可撓板１１６を、支持構造体５４を支持するために利用することができる。
【００６２】
図１５が、バッフル部６８、７０の互いの結合に使用される雄および雌のジョイント９０、９２の一実施形態の一部分の断面図である。上述したように、嵌合ジョイント８８は、スナップフィットジョイント、嵌合ラッチ、フックをスロットに嵌合させるジョイント、嵌合締まり嵌めジョイント、嵌合する雄ねじおよび雌ねじの固定具、嵌合する非ねじの固定具、（例えば、工具を必要としない結合および分離のための）嵌合する工具不要の固定具、嵌合クランプ、嵌合ストラップ、などを含むことができる。雄のジョイント９０が雌のジョイント９２に挿入されると、嵌合ジョイント８８が一体に結合し、第１および第２のバッフル部６８，７０の間の噛み合い結合を形成することができる。図示されているように、雄のジョイント９０は、拡大頭部またはボス部１０９を狭いネック部１１０の上に配置して備える突出部１０８を有する。雌のジョイント９２は、リップまたは段部１１３へと続くテーパボア１１２を有している凹部または開口部１１１を有する。部位１０９が、段部１１３にスナップ式にて係合する。
【００６３】
図１６は、インターロック構造３８（例えば、蟻継ぎジョイント）上に配置された一体のロック１３１（例えば、スナップフィット継手）を示すバッフル部分３６の一部分の斜視図である。特に、バッフル部分３６は、インターロック構造３８の交互の雄および雌のインターロック部３７および３９を有し、一体のロック１３１は、それぞれのインターロック部３７および３９上の第１および第２のロック部１３２および１３３（例えば、スナップフィット結合部）をそれぞれ有している。特に、図示のバッフル部分３６の交互の雄および雌のインターロック部３７および３９は、隣接するバッフル部分３６の対応する雌および雄のインターロック部３９および３７と噛み合うように構成されている。同様に、図示のバッフル部分３６の雌のインターロック部３７の各々に配置された第１のロック部１３２は、隣接するバッフル部分３６の雄のインターロック部３９の各々に配置された対応する第２のロック部１３３と噛み合う（例えば、スナップフィットする）ように構成されている。さらに、図示のバッフル部分３６の雄のインターロック部３９の各々に配置された第２のロック部１３３は、隣接するバッフル部分３６の雌のインターロック部３７の各々に配置された対応する第１のロック部１３１と噛み合う（例えば、スナップフィットする）ように構成されている。一体のロック１３１（例えば、嵌合する第１および第２のロック部１３２および１３３）は、ひとたび結合すると、インターロック構造３８（例えば、嵌合する雌および雄のインターロック部３７および３９）を固定する（例えば、解放または分離を阻止する）ように構成されている。図示の実施形態においては、インターロック部３７および３９が、雌および雄の蟻継ぎジョイントである一方で、ロック部１３２および１３３は、嵌合スナップフィット継手である。
【００６４】
図示のように、第１のロック部１３２は、対向する第１および第２のテーパガイドまたは傾斜部１３６および１３８の間に配置されたスナップフィット凹部または開口部１３４を有する。バッフル部分３６が第１および第２のバッフル部６８および７０の組み合わせであることから、第１の傾斜部１３６は、第１のバッフル部６８上に配置され、第２の傾斜部１３８は、第２のバッフル部７０上に配置される。さらに、開口部１３４は、第１および第２のバッフル部６８および７０の間の界面１４１の両側に配置された第１および第２の開口部１３９および１４０によって分割されても、連続的に形成されてもよい。
【００６５】
第２のロック部１３３は、第１のロック部１３１のスナップフィット開口部１３４にスナップフィットするように構成されたスナップフィット突起１４２を有する。図示の実施形態において、スナップフィット突起１４２は、第１の弾性アーム１４６上に配置された第１のスナップフィットタブ１４４と、第２の弾性アーム１５０上に配置された第２のスナップフィットタブ１４８とを有する。バッフル部分３６が第１および第２のバッフル部６８および７０の組み合わせであることから、第１のスナップフィットタブ１４４を有する第１の弾性アーム１４６は、第１のバッフル部６８に配置され、第２のスナップフィットタブ１４８を有する第２の弾性アーム１５０は、第２のバッフル部７０に配置されている。
【００６６】
図１７は、インターロック構造３８の雌のインターロック部３７の第１のロック部１３２の詳細をさらに示すために図１６の一体型ロック１３１の一実施形態の線１７−１７を通って得た一部分の断面図である。矢印１５２によって示されるように、雄のインターロック部３９（例えば、雄の蟻継ぎジョイント）がスライドし、隣接するバッフル部分３６の嵌合インターロック構造３８の雌のインターロック部３７（例えば、雌の蟻継ぎジョイント）と係合するとき、第２のロック部１３３も移動し、第１のロック部１３２と係合する。したがって、スナップフィットタブ１４４および１４８が一方の傾斜部（例えば、第１の傾斜部１３６）に沿って徐々にスライドし、スナップフィットタブ１４４および１４８が開口部１３４に近づくにつれて、弾性アーム１４６および１５０が傾斜部から逃げるように上方へと撓み、その後に弾性アーム１４６および１５０は、雌および雄のインターロック部３７および３９が完全に係合すると、最終的にスナップフィットタブ１４４および１４８を開口部１３４（例えば、開口部１３９および１４０）へと付勢する（例えば、ばねのように付勢する）。
【００６７】
図１８は、図１６の一体型ロック１３１の一実施形態の一部分の断面図であり、雄のインターロック部３９の第２のロック部１３３に完全に係合した雌のインタ−ロック部３７の第１のロック部１３２をさらに示している。第１のロック部１３２の詳細は、図１６の線１７−１７を通って得た図１７に示した第１のロック部１３２の詳細と同じである。図１８は、図１６の線１８−１８を通って得た第２のロック部１３３の詳細を示している。図示されているように、スナップフィットタブ１４４および１４８が、開口部１３４（例えば、開口部１３９および１４０）に位置する一方で、弾性アーム１４６および１５０が、スナップフィットタブ１４４および１４８の位置を保持する（例えば、内側へと付勢する）。結果として、スナップフィットタブ１４４および１４８が、隣接するバッフル部分３６を反対の方向１５４および１５６に移動させることができないように、嵌合インターロック構造３８（例えば、雌および雄形インターロック部３７および３９）の分離または解放を阻止する。
【００６８】
図１９は、サイレンサバッフル２８の１つまた以上のバッフル部分３６（例えば、前縁部分４０）の外面９４、９８の一実施形態の拡大図である。バッフル部分３６は、バッフル部分３６の外面９４，９８上に配置された種々のパターン１５８を含むことができる。さらに、パターン１５８は、吸気２４が吹き抜ける凹部または開口部を提供することもできる。前縁部分４０の外面９４、９８上に配置されたパターン１５８は、複数の凹部または開口部１６０を含む。開口部１６０は、１つ以上のバッフル部分３６の外面９４、９８の約１〜１００％、２５〜７０％、４０〜５０％、およびこれらの間のすべての割合を覆うことができる。開口部１６０は、吸気２４を開口部へと曝すことを可能にし、上述のようにバッフル部６８，７０内に配置された吸音インサート７２（例えば、第１のインサート１０２、第２のインサート１０４）による騒音の吸収を可能にする。開口部１６０は、前縁部分４０、後縁部分４２、および／または中間部分４４など、バッフル部分３６のいずれかまたはすべてに配置されてよい。図示の実施形態において、開口部１６０は、実質的に正方形または長方形の形状を有することができる。他の実施形態において、開口部１６０は、長円形、円形、三角形、六角形、またはこれらの組み合わせを含む他の形状を有することができる。
【００６９】
図２０は、本明細書に開示の実施形態によるサイレンサバッフル２８の形成の方法１８０を示している。方法１８０は、射出成形によって相補的なバッフル部分３６を形成すること（ブロック１８２）を含む。上述したように、バッフル部分３６は、嵌合ジョイント８８（例えば、雄のジョイント９０、雌のジョイント９２）を含み、嵌合ジョイント８８（例えば、雄のジョイント９０）の配置は、相補的な嵌合ジョイント８８（例えば、雌のジョイント９２）の位置によって決定することができる。方法１８０は、騒音の吸収を可能にするためにバッフル部分３６の外面９４，９８に穿孔を施すこと（ブロック１８４）を含む。穿孔は、射出成形金型からも形成される。方法１８０は、バッフル部分３６がダクト２７内での使用に適していることを確実にするために、バッフル部分３６を検査すること（ブロック１８６）を含むことができる。方法１８０は、吸音インサート７２をバッフル部６８，７０へと配置すること（ブロック１８８）を含む。上述したように、吸音インサート７２は、嵌合ジョイント８８を受け入れるために吸音材料内に配置された開口部７４を有することができる。方法１８０は、嵌合ジョイント８８を介してバッフル部を互いに結合させること（ブロック１９０）を含む。
【００７０】
図２１は、本明細書に開示の実施形態によるサイレンサバッフル２８の設置の方法２００を示している。方法２００は、バッフル部６８，７０を互いに結合させることによって後縁バッフル部分４２を組み立てること（ブロック２０２）を含む。方法２００は、バッフル部６８，７０を互いに結合させることによって中間バッフル部分４４を組み立てること（ブロック２０４）を含む。方法２００は、嵌合インターロック造作３８（例えば、蟻継ぎジョイント）を介して後縁バッフル部分４２を中間バッフル部分４４に結合させることで、組み合わせられた後縁部分および中間バッフル部分を形成すること（ブロック２０６）を含む。方法２００は、支持構造体のダクト２７への溶接または固定などにより、支持構造体（例えば、ロッド５６、パイプ）をダクトに結合させるステップ（ブロック２０８）を含む。方法２００は、組み合わせられた後縁部分４２および中間部分４４を、ダクトパネル８０（例えば、上部パネル８２、下部パネル８４）内のガイド５８を介してダクト２７へと、または隣接するバッフル部分の行へと、スライドさせること（ブロック２１０）を含む。方法２００は、前縁バッフル部分４０の第１の部分を支持構造体５４の周囲ならびに組み合わせられた後縁部分４２および中間バッフル部分４４に結合させること（ブロック２１２）を含む。方法２００は、前縁バッフル部分の第２の部分を支持構造体５４の周囲ならびに組み合わせられた後縁部分４２および中間バッフル部分４４に結合させ、組み立てられたサイレンサバッフル２８を形成すること（ブロック２１４）を含む。方法２００は、所望の数のサイレンサバッフルが完成するまで、本明細書に記載のとおりのサイレンサバッフル２８の形成を続けること（ブロック２１６）を含む。
【００７１】
特許請求される主題の技術的効果として、雄および雌の嵌合ジョイント８８を介して第１および第２のバッフル部６８，７０を結合させることによるバッフル部分の形成が挙げられる。吸音インサート７２を、騒音を吸収するために、バッフル部６８，７０の内部チャンバ７３，７５に挿入することができる。１つ以上のバッフル部分３６（例えば、前縁バッフル部分）を、ダクトパネル８０に固定された支持構造体（例えば、ロッド）の周りに形成することができる。バッフル部６８，７０は、嵌合ジョイント８８を各々のバッフル部分３６（例えば、前縁バッフル部分４０、後縁バッフル部分４２、および中間部分４４）を形成するように互いに結合させることによって、バッフル部分３６を形成することができる。バッフル部分３６を、嵌合インターロック造作３８を介して互いに結合させることができる。少なくとも１つのバッフル部分は、組み立てられたサイレンサバッフルへの荷重を軽減するために、支持構造体（例えば、ロッド）を利用することができる。
【００７２】
本明細書は、特許請求される主題を、最良の態様を含めて開示するとともに、あらゆる装置またはシステムの製作および使用ならびに関連の方法の実行を含む特許請求される主題の実施を、当業者にとって可能にするために、いくつかの実施例を使用している。特許請求される主題の特許可能な範囲は、特許請求の範囲によって定義され、当業者が想到する他の実施例を含むことができる。このような他の実施例が特許請求の範囲の字義通りの文言と異ならない構造要素を有する場合、または、それらが特許請求の範囲の字義通りの文言と実質的な差異がない等価な構造要素を含む場合には、このような他の実施例は特許請求の範囲内であることを意図している。
【符号の説明】
【００７３】
１０  発電システム、発電システム
１２  ガスタービンエンジン
１３  軸方向軸線
１４  圧縮機
１５  半径方向軸線
１６  燃焼器
１７  円周方向軸線
１８  燃料
１９  側方、方向
２０  タービン
２１  方向
２２  負荷
２４  空気、吸気
２６  吸気ハウジング
２７  流体導管、流体ダクト、空気ダクト
２８  サイレンサバッフル
２９  前縁
３０  排気スタック、軸方向
３１  後縁
３２  通風システム
３３  距離
３４  ファン
３６  バッフル部分
３７  インターロック部
３８  嵌合インターロック構造、嵌合インターロック造作
３９  インターロック部
４０  前縁部分、前縁バッフル部分
４２  後縁部分、後縁バッフル部分
４４  中間部分、中間バッフル部分
４６  上流部分、上流チャンバ
４８  下流部分、下流チャンバ
５０ａ  列
５０ｂ  列
５０ｃ  列
５０ｄ  列
５１  クランプ、ロッド支持通路
５２  行
５４  支持構造体
５６  ロッド
５７  長手方向軸線
５８  レールガイド
６０  開放端
６２  外縁、リム
６４  幅
６６  閉鎖端
６７  バッフルシェル部
６８  第１のバッフル部
６９  バッフルシェル部
７０  第２のバッフル部
７１  内部チャンバ、チャンバ部
７２  吸音インサート
７３  第１の内部チャンバ、チャンバ部
７４  開口部
７５  第２の内部チャンバ、チャンバ部
７６  第１の側壁
７８  第２の側壁
８０  ダクトパネル
８２  上部パネル、上面
８４  下部パネル、下面
８８  嵌合ジョイント
８９  周辺嵌合ジョイント
９０  雄のジョイント
９１  中央嵌合ジョイント
９２  雌のジョイント
９４  第１の外面
９６  第１の内面
９８  第２の外面
１００  第２の内面
１０２  第１のインサート
１０４  第２のインサート
１０６  破線
１０８  突出部
１０９  ボス部、部位
１１０  ネック部
１１１  開口部
１１２  テーパボア
１１３  段部
１１６  クランプ板、可撓板
１１８  凹部、湾曲した構造
１２０  第１の端部
１２４  第２の端部
１２６  開口部
１３０  プレート
１３１  一体型ロック、ロック部
１３２  第１のロック部
１３３  第２のロック部
１３４  開口部
１３６  傾斜部
１３８  傾斜部
１３９  第１の開口部
１４０  第２の開口部
１４１  界面
１４２  スナップフィット突起
１４４  第１のスナップフィットタブ
１４６  第１の弾性アーム
１４８  第２のスナップフィットタブ
１５０  第２の弾性アーム
１５２  矢印
１５４  方向
１５６  方向
１５８  パターン
１６０  開口部
【図１】
2018168853.tif 000003
【図２】
2018168853.tif 000004
【図３】
2018168853.tif 000005
【図４】
2018168853.tif 000006
【図５】
2018168853.tif 000007
【図６】
2018168853.tif 000008
【図７】
2018168853.tif 000009
【図８】
2018168853.tif 000010
【図９】
2018168853.tif 000011
【図１０】
2018168853.tif 000012
【図１１】
2018168853.tif 000013
【図１２】
2018168853.tif 000014
【図１３】
2018168853.tif 000015
【図１４】
2018168853.tif 000016
【図１５】
2018168853.tif 000017
【図１６】
2018168853.tif 000018
【図１７】
2018168853.tif 000019
【図１８】
2018168853.tif 000020
【図１９】
2018168853.tif 000021
【図２０】
2018168853.tif 000022
【図２１】
2018168853.tif 000023
【外国語明細書】
2018168853000001.pdf